(57)【要約】【課題】相手側端子を挿入口の中心に差し込むことを可能にし、挿入力を抑制し、互換性を保つことによってコストの上昇を防止する。【解決手段】底板９から折り曲げられた一対の側板と、一方の側板１１から折り曲げられて底板９と対向する天板１５と、他方の側板から折り曲げられて背面が天板１５と接触可能に対向する片持ち主弾性片部１７と、片持ち主弾性片部１７の自由端側に設けられ相手側端子５と接触する傾斜部１９と、相手側端子５が挿入される挿入部２１とを有し、底板９には、相手側端子５と接触して挿入部２１の中心２３側に案内する傾斜案内部２５を有する案内接触突部２７が天板１５側へ打ち出し加工され、天板１５には、片持ち主弾性片部１７の傾斜部１９が侵入可能な切り欠き部２９が形成されている。【選択図】図３
2010073440.tif 000002
【特許請求の範囲】
【請求項１】
導電性の板材を折り曲げて角筒状に形成し、相手側端子が挿入されて接続される接続部と、この接続部に一体形成されて電線の端末部を保持する電線保持部とからなり、コネクタの端子収容室に収容される端子金具であって、
前記接続部は、底板と、この底板の両側部から互いに対向するように折り曲げられた一対の側板と、一方の側板から折り曲げられて前記底板と対向する天板と、他方の側板から折り曲げられ、背面が前記天板と接触可能に対向する片持ち主弾性片部と、前記片持ち主弾性片部の自由端側に設けられ、挿入された相手側端子と接触する傾斜部と、前記片持ち主弾性片部と底板との間に形成され、相手側端子が挿入される挿入部とを有し、
前記底板には、相手側端子と接触し前記挿入部の中心側に案内する傾斜案内部を有する案内接触突部が前記天板側へ打ち出し加工され、
前記天板には、前記片持ち主弾性片部の傾斜部が侵入可能な切り欠き部が形成されていることを特徴とする端子金具。
【請求項２】
請求項１に記載された端子金具であって、
前記切り欠き部の縁部に、前記傾斜部と当接して片持ち主弾性片部の過大な変位を規制する変位規制部が形成されていることを特徴とする端子金具。
【請求項３】
請求項１または請求項２に記載された端子金具であって、
前記天板には、相手側端子に押圧され変位した前記片持ち主弾性片部と接触して荷重を分担することにより、片持ち主弾性片部を補強する補助弾性部が形成されていることを特徴とする端子金具。
【請求項４】
請求項１〜請求項３のいずれかに記載された端子金具であって、
前記切り欠き部の一側縁部に、前記コネクタの端子収容室に係止される係止部が形成されていることを特徴とする端子金具。
【発明の詳細な説明】
【技術分野】
【０００１】
本発明は、オス端子を挿入して導体接続を行う端子金具に関する。
【背景技術】
【０００２】
図５は特許文献１に記載された「低挿入力メス側導体端子」を示し、図６は特許文献２に記載された「雌端子金具」を示し、図７は特許文献３に記載された「接続端子」を示している。
【０００３】
図５と図６と図７の各端子３０１，３０３，３０５は、弾性片部３０７，３０９，３１１と打ち出し部３１３，３１５，３１７とを有し、相手側のオス端子（例えば、図６に示すオス端子３１９）は、弾性片部３０７，３０９，３１１と打ち出し部３１３，３１５，３１７とに接触して導体接続を行う。
【特許文献１】特開２００３−２６４０２３号公報
【特許文献２】特開２００５−１４２０６６号公報
【特許文献３】特開２００３−３３１９６２号公報
【発明の開示】
【発明が解決しようとする課題】
【０００４】
各端子３０１，３０３，３０５は、一側に弾性片部３０７，３０９，３１１を設けたことによって、相手側端子の挿入位置が挿入口３２１，３２３，３２５の中心線に対して他側に偏位しており、相手側端子の挿入角が中心線に対して傾斜し、無理な力が掛かるから、大きな挿入力が必要になり、コネクタの接続時に作業性が低下する。
【０００５】
しかし、打ち出し部３１３，３１５，３１７を高くして相手側端子の挿入位置を挿入口３２１，３２３，３２５の中心線に合わせようとすると、弾性片部３０７，３０９，３１１の変位可能空間がそれだけ狭くなり、これを広くする必要が生じるから、その結果、端子３０１，３０３，３０５の寸法がそれだけ大きくなり、それに伴って端子３０１，３０３，３０５を収容するコネクタや、相手側端子及びそのコネクタとの互換性が失われ、これらの寸法変更に伴って大きなコスト上昇を招く。
【０００６】
そこで、この発明は、相手側端子を挿入口の中心に差し込むことを可能にし、挿入力を抑制すると共に、互換性を保つことによってコストの上昇を防止した端子金具の提供を目的としている。
【課題を解決するための手段】
【０００７】
請求項１の端子金具は、導電性の板材を折り曲げて角筒状に形成し、相手側端子が挿入されて接続される接続部と、この接続部に一体形成されて電線の端末部を保持する電線保持部とからなり、コネクタの端子収容室に収容される端子金具であって、前記接続部は、底板と、この底板の両側部から互いに対向するように折り曲げられた一対の側板と、一方の側板から折り曲げられて前記底板と対向する天板と、他方の側板から折り曲げられ、背面が前記天板と接触可能に対向する片持ち主弾性片部と、前記片持ち主弾性片部の自由端側に設けられ、挿入された相手側端子と接触する傾斜部と、前記片持ち主弾性片部と底板との間に形成され相手側端子が挿入される挿入部とを有し、前記底板には、相手側端子と接触し前記挿入部の中心側に案内する傾斜案内部を有する案内接触突部が前記天板側へ打ち出し加工され、前記天板には、前記片持ち主弾性片部の傾斜部が侵入可能な切り欠き部が形成されていることを特徴とする。
【０００８】
請求項２の発明は、請求項１に記載された端子金具であって、前記切り欠き部の縁部に、前記傾斜部と当接して片持ち主弾性片部の過大な変位を規制する変位規制部が形成されていることを特徴とする。
【０００９】
請求項３の発明は、請求項１または請求項２に記載された端子金具であって、前記天板には、相手側端子に押圧され変位した前記片持ち主弾性片部と接触して荷重を分担することにより、片持ち主弾性片部を補強する補助弾性部が形成されていることを特徴とする。
【００１０】
請求項４の発明は、請求項１〜請求項３のいずれかに記載された端子金具であって、前記切り欠き部の一側縁部に、前記コネクタの端子収容室に係止される係止部が形成されていることを特徴とする。
【発明の効果】
【００１１】
請求項１の端子金具は、案内接触突部に設けた傾斜案内部が相手側端子を挿入部の中心側に導びくこと、及び、切り欠き部を天板に設けて片持ち主弾性片部の傾斜部（先端）が侵入できるようにしたことにより、相手側端子を中心線に沿って挿入することが可能になり、従って、挿入時の相手側端子に無理な力が掛かることが回避され、それだけ小さな挿入力で挿入可能になり、挿入時（コネクタ接続時）の作業性が大きく向上する。
【００１２】
また、片持ち主弾性片部の傾斜部が侵入する切り欠き部を設けたことによって、片持ち主弾性片部の変位可能空間を広く保つために側板を高くする必要がなくなり、コネクタや相手側端子との互換性が保たれるから、コネクタや相手側端子の寸法変更に伴う大きなコスト上昇を避けることができる。
【００１３】
また、片持ち主弾性片部は、傾斜部（先端）が切り欠き部に侵入することによって、天板の板厚だけ、変位量を大きく設定することが可能になるから、バネ特性の公差をそれだけ大きく設定することによって製造時のバラツキをさらに広い範囲で吸収できるようになり、コストが低減される。
【００１４】
また、片持ち主弾性片部の傾斜部を切り欠き部に侵入させることによって、その侵入分だけ、全体（側板）を低くすることが可能になる。
【００１５】
また、相手側端子を挿入部の中心側に案内する傾斜案内部を設けたことにより、上記の互換性がさらに向上する。
【００１６】
請求項２の端子金具は、請求項１の構成と同等の効果が得られる。
【００１７】
また、片持ち主弾性片部は、相手側端子の挿入時に変位が大きくなっても、切り欠き部の縁部に当接して過大な変位が規制されるから、変形が防止され、信頼性が向上し、正常な機能が保たれる。
【００１８】
請求項３の端子金具は、請求項１または請求項２の構成と同等の効果が得られる。
【００１９】
また、片持ち主弾性片部の変位が大きくなっても、背面に接触した補助弾性部が荷重を分担し、片持ち主弾性片部に掛かる応力を緩和するから、片持ち主弾性片部の変形が防止され、上記と同様に、信頼性が向上し、正常な機能が保たれる。
【００２０】
請求項４の端子金具は、請求項１〜請求項３の構成と同等の効果が得られる。
【００２１】
また、コネクタ側に係止するための係止部を切り欠き部の一側縁部に設けたことにより、相手側端子の挿入に伴って変位した片持ち主弾性片部がこの係止部を内側から押圧して補強するので、例えば、コネクタに外力が掛かっても、係止部の強度及び係止強度が高く保たれる。
【発明を実施するための最良の形態】
【００２２】
＜一実施形態＞
図１〜図４によって端子金具１（本発明の一実施形態）の説明をする。図１は端子金具１の展開図、図２は端子金具１（接続部３）の縦断面図、図３は接続部３にオス端子５を挿入した状態の縦断面図、図４は図３のＡ部拡大図である。
【００２３】
端子金具１は、導電性の板材（銅系合金の板材料）を折り曲げて角筒状に形成し、オス端子５（図３）が挿入される接続部３と、接続部３と一体に形成されて電線の端末部を保持する電線保持部７とからなり、コネクタの端子収容室に収容されている。
【００２４】
接続部３は、底板９と、底板９の両側部から互いに対向するように折り曲げられた一対の側板１１，１３と、一方の側板１１から折り曲げられて底板９と対向する天板１５と、他方の側板１３から折り曲げられ、背面が天板１５と接触可能に対向する片持ち主弾性片部１７と、片持ち主弾性片部１７の自由端側に設けられ、挿入されたオス端子５と接触する傾斜部１９と、片持ち主弾性片部１７と底板９との間に形成されオス端子５が挿入される挿入部２１とを有している。
【００２５】
底板９には、天板１５側へ打ち出し加工され、オス端子５と接触して挿入部２１の中心２３側に案内する傾斜案内部２５を有する案内接触突部２７が設けられ、天板１５には、片持ち主弾性片部１７の傾斜部１９が侵入可能な切り欠き部２９が形成されている。
【００２６】
また、切り欠き部２９の縁部には、傾斜部１９と当接して片持ち主弾性片部１７の過大な変位を規制する変位規制部３１が形成されている。
【００２７】
また、天板１５には、片持ち主弾性片部１７がオス端子５に押圧されて変位すると、これと接触して荷重を分担することにより、片持ち主弾性片部１７を補強する補助弾性部３３が形成されている。
【００２８】
また、切り欠き部２９の一側縁部には、コネクタの端子収容室に係止される係止部３５が形成されている。
【００２９】
なお、案内接触突部２７は導電性板材の板厚の４倍の高さに打ち出し加工されている。
【００３０】
端子金具１は、上記のように、導電性板材を折り曲げ加工して接続部３を角筒状に形成し、キャリヤ３７（図１）の部分から切り離し、電線保持部７の凸部３９，３９を折り曲げて電線の絶縁被覆部分を保持し、電線の導体部を接続した後、コネクタの端子収容室に収容し、係止部３５をコネクタに係止させる。
【００３１】
各オス端子５もコネクタの端子収容室に収容されており、オス端子５は、挿入部２１から挿入されると、案内接触突部２７の傾斜案内部２５に当たって中心２３側に案内され、次いで、傾斜部１９に当たって片持ち主弾性片部１７を撓め、図３のように、接続完了位置まで挿入されると各オス端子５と各端子金具１との導体接続が完了する。この状態では、図４のように、傾斜部１９の先端は天板１５の切り欠き部２９に深さＤだけ侵入し、変位規制部３１と接触して過大な変位が規制されると共に、補助弾性部３３が片持ち主弾性片部１７の背面と接触して荷重を分担し、片持ち主弾性片部１７を補強する。
【００３２】
端子金具１は次のような効果が得られる。
【００３３】
案内接触突部２７の傾斜案内部２５がオス端子５を挿入部２１の中心２３側に導びくこと、及び、切り欠き部２９を設けて片持ち主弾性片部１７の傾斜部１９が侵入できるようにしたことにより、オス端子５を中心線２３に沿って挿入することが可能になり、従って、挿入時のオス端子５に無理な力が掛かることが回避され、それだけ小さな挿入力で挿入可能になり、挿入時（コネクタ接続時）の作業性が大きく向上する。
【００３４】
また、片持ち主弾性片部１７の傾斜部１９が侵入する切り欠き部２９を設けたので、片持ち主弾性片部１７の変位可能空間を広く保つために側板１１，１３を高くする必要がなくなり、コネクタやオス端子５との互換性が保たれるから、これらの寸法変更に伴う大きなコスト上昇を避けることができる。
【００３５】
また、片持ち主弾性片部１７は、傾斜部１９が侵入する切り欠き部２９を設けたので、天板１５の板厚だけ、変位量を大きく設定することが可能になり、バネ特性の公差をそれだけ大きく設定することによって製造時のバラツキをさらに広い範囲で吸収できるようになり、コストが低減される。
【００３６】
また、片持ち主弾性片部１７の傾斜部１９を切り欠き部１９に侵入させることにより、その侵入分（例えば、深さＤ）だけ、全体（側板１１，１３）を低くすることが可能になる。
【００３７】
また、オス端子５を挿入部２１の中心２３側に案内する傾斜案内部２５を設けたことにより、上記の互換性がさらに向上する。
【００３８】
また、片持ち主弾性片部１７は変位量が大きくなっても、傾斜部１９が変位規制部３１に当接して過大な変位が規制されるから、変形が防止されて信頼性が向上し、正常な機能が保たれる。
【００３９】
また、補助弾性部３３が片持ち主弾性片部１７と接触して荷重を分担し、応力を緩和するから、片持ち主弾性片部１７の変形が防止され、上記のように、信頼性が向上し、正常な機能が保たれる。
【００４０】
また、コネクタ側に係止するための係止部３５を切り欠き部２９の一側縁部に設けたことにより、オス端子５の挿入に伴って変位した片持ち主弾性片部１７（傾斜部１９）が係止部３５を内側から押圧して補強するので、コネクタに外力が掛かっても、係止部３５の強度及び係止強度が高く保たれる。
【００４１】
また、端子金具１では片持ち主弾性片部１７が側板１３に形成されているが、主弾性片部を底板の左端側（オス端子の挿入側）に形成し底板側に折り曲げ加工する従来の端子金具があり、端子金具１の場合、キャリヤ３７から底板９までの寸法が１９．５０mmであるのに対して、例えば、主弾性片部が底板の左端側に延設されている従来品ではキャリヤから主弾性片部端部までの寸法が２６．５０mmである。このように、端子金具１では投入材料寸法が従来の端子金具より７mm少なくなっており、例えば、１ピッチの幅が８mmであれば、１個の端子金具１で、７×８＝５６mm2の面積の材料が削減され、それだけ低コスト化されている。
【００４２】
［本発明の範囲に含まれる他の態様］
本発明は上述した実施形態のみに限定解釈されるものではなく、本発明の技術的な範囲内で様々な変更が可能である。
【図面の簡単な説明】
【００４３】
【図１】端子金具１の展開図である。
【図２】端子金具１（接続部３）の縦断面である。
【図３】接続部３にオス端子５を挿入した状態の縦断面図である。
【図４】図３のＡ部拡大図である。
【図５】特許文献１に記載の従来例の縦断面である。
【図６】特許文献２に記載の従来例の縦断面である。
【図７】特許文献３に記載の従来例の縦断面である。
【符号の説明】
【００４４】
１  端子金具
３  接続部
５  オス端子（相手側端子）
７  電線保持部
９  底板
１１，１３  側板
１５  天板
１７  片持ち主弾性片部
１９  片持ち主弾性片部１７の傾斜部
２１  挿入部
２３  挿入部の中心
２５  案内接触突部２７の傾斜案内部
２７  案内接触突部
２９  切り欠き部
３１  変位規制部
３３  補助弾性部
３５  係止部
【図１】
2010073440.tif 000003
【図２】
2010073440.tif 000004
【図３】
2010073440.tif 000005
【図４】
2010073440.tif 000006
【図５】
2010073440.tif 000007
【図６】
2010073440.tif 000008
【図７】
2010073440.tif 000009